(57)【特許請求の範囲】
【請求項１】
キャップ式のボトル容器の首部に取り付けて使用する板紙製の表示具であって、一枚のブランクを側面視でＨ型に折り曲げて接着加工しており、ボトル容器の首部が挿入可能な差込み孔が設けられた横方向の差込み部と、その差込み部の両側にそれぞれ設けられた縦方向の表示部とで構成され、差込み孔には、差込み部と表示部を連接する折罫に至る拡大部を両側に形成してあり、該拡大部が形成されていない差込み孔の周囲の相対する位置に、キャップの下縁部分に引っ掛かる抜止め用としての円弧状の爪を突設してあることを特徴とする表示具。
【発明の詳細な説明】
【０００１】
【発明の属する技術分野】
本発明は、ペットボトルや瓶などのボトル容器の首部に取り付けて使用する表示具に関するものである。
【０００２】
【従来の技術】
従来、ボトル容器を店頭に陳列した際のアイキャッチ効果を狙って、そのボトル容器の首部に表示具を取り付けることが行われている。そのような表示具の一つとして、板紙を折り曲げて表示部と差込み部を形成するとともに、差込み部にボトル容器の首部に挿入可能な差込み孔を設けたものがある（例えば、実公昭６３−１５８８８号公報参照）。
【０００３】
【発明が解決しようとする課題】
従来の技術で述べた板紙製の表示具は、使用時に差込み部の差込み孔をボトル容器の首部に通して吊り下げるようになっている。このため、ペットボトルのように上部付近までラベルがあるボトル容器では、前面上部が隠れて見えなくなることがあった。また、店頭で並べた際に置く向きによっては表示部が見えないことがあり、向きを直すのに手間がかかっていた。
【０００４】
本発明は、このような事情に鑑みてなされたものであり、その目的とするところは、ボトル容器に取り付けた際に両側から見えるとともに、ボトル容器の表示が隠れないようにした表示具を提供することにある。
【０００５】
【課題を解決するための手段】
上記の目的を達成するため、本発明の表示具は、キャップ式のボトル容器の首部に取り付けて使用する板紙製の表示具であって、一枚のブランクを側面視でＨ型に折り曲げて接着加工しており、ボトル容器の首部が挿入可能な差込み孔が設けられた横方向の差込み部と、その差込み部の両側にそれぞれ設けられた縦方向の表示部とで構成され、差込み孔には、差込み部と表示部を連接する折罫に至る拡大部を両側に形成してあり、該拡大部が形成されていない差込み孔の周囲の相対する位置に、キャップの下縁部分に引っ掛かる抜止め用としての円弧状の爪を突設してあることを特徴としている。
【０００６】
【発明の実施の形態】
以下、具体例を挙げて本発明の実施の形態について説明する。
【０００７】
図１は本発明に係る表示具を示す斜視図であり、図示の表示具は図２にその展開図を示す一枚のブランクを組み立てて形成される。
【０００８】
ブランク１０は、所定の絵柄等が印刷された板紙を打ち抜いたものであり、図２に示すように、中央の差込みパネル１１の両側にそれぞれ折罫ａ，ｂを介して同じサイズの折曲げパネル１２を連接し、さらに各折曲げパネル１２の外側にそれぞれ折罫ｃ，ｄを介して同じサイズの表示パネル１３を連接した形状になっている。そして、差込みパネル１１には、ボトル容器の首部が挿入可能な差込み孔１４が設けられている。
【０００９】
差込みパネル１１に形成する差込み孔１４は、基本的にはボトル容器のキャップが通る円形状があるが、図示のブランク１０では、差込み孔１４における相対する位置に抜止め用として円弧状の爪１５を突設してあり、また折罫ａ，ｂでの折曲げを容易にするため、差込み孔１４の一部に折罫ａ，ｂに至る拡大部１６を形成している。
【００１０】
このブランクＢを組み立てて図１に示す表示具Ａの形状にするには、折罫ａ，ｂを谷折りするとともに折罫ｃ，ｄで折り返した状態で、折曲げパネル１２の裏面とこれと向き合う表示パネル１３の裏面とを接着剤で貼り合わせる。このように一枚のブランク１０を側面視でＨ型に折り曲げて接着加工することにより、ボトル容器の首部が挿入可能な差込み孔１４が設けられた横方向の差込み部１と、その差込み部１の両側にそれぞれ設けられた縦方向の表示部２とで構成された表示具Ａが形成される。
【００１１】
図１に示す表示具をペットボトルの首部に取り付けた状態を図３に示す。表示具Ａの差込み部１における差込み孔１４をペットボトルＰのキャップＣを通して首部まで下げると、差込み孔１４の周りにある爪１５がキャップＣの下縁部分に引っ掛かった状態になるので、簡単には取れなくなる。そして、表示部２は両側にあるので、どららからでも見えることから、店頭等におけるアイキャッチ効果が優れたものとなる。また、表示部２の向きを直す場合は、少し動かすだけで正面を向かせることができる。なお、図示の例では両側の表示部２の大きさが同じになっているが、デザイン上の観点等から２つの表示部の形状等を多少異なったものとしても構わない。
【００１２】
上記の表示具は、図３に示すように、ペットボトルＰの上部構造のスペースに合わせて設計してある。すなわち、ブランク１０の幅はペットボトルＰの幅とほぼ同じにしてあり、しかも差込み部１の長さをペットボトルＰの幅より短くすることにより、表示具Ａを取り付けた時に２つの表示部２がそれぞれペットボトルＰの肩に沿う向きに斜めになるようにしている。このように、ペットボトルＰの上部構造のスペースを最大限に利用しているので、店頭にて並べた際に表示具Ａが邪魔になることがない。
【００１３】
以上、本発明を実施の形態に基づいて詳細に説明してきたが、本発明による表示具は、上記実施の形態に何ら限定されるものではなく、本発明の趣旨を逸脱しない範囲において種々の変更が可能であることは言うまでもない。
【００１４】
【発明の効果】
本発明の表示具は、キャップ式のボトル容器の首部に取り付けて使用する板紙製の表示具であって、一枚のブランクを側面視でＨ型に折り曲げて接着加工しており、ボトル容器の首部が挿入可能な差込み孔が設けられた横方向の差込み部と、その差込み部の両側にそれぞれ設けられた縦方向の表示部とで構成され、差込み孔には、差込み部と表示部を連接する折罫に至る拡大部を両側に形成してあり、該拡大部が形成されていない差込み孔の周囲の相対する位置に、キャップの下縁部分に引っ掛かる抜止め用としての円弧状の爪を突設してあることを特徴としているので、ボトル容器に取り付けた際に首部を挟むように２つの表示部が位置することから、店頭等におけるアイキャッチ効果が大きいものとなる。また、ボトル容器の前面上部へのかかりが少なくなるので、ボトル容器の表示が隠れないという効果を奏する。さらに、ボトル容器の上部構造に合わせて設計することにより、店頭等で陳列する際に表示具が邪魔になることがない。
【００１５】
また、差込み孔には、差込み部と表示部を連接する折罫に至る拡大部を両側に形成することにより、組立時における折罫での折曲げが容易となり、該拡大部が形成されていない差込み孔の周囲の相対する位置に、キャップの下縁部分に引っ掛かる抜止め用としての円弧状の爪を突設したことにより、ボトル容器の首部に取り付けた際に外れ防止効果を発揮させることができる。
【図面の簡単な説明】
【図１】  本発明に係る表示具を示す斜視図である。
【図２】  図１に示す表示具を構成するブランクの展開図である。
【図３】  表示具の使用状態を示す斜視図である。
【符号の説明】
Ａ  表示具
Ｐ  ペットボトル
Ｃ  キャップ
１  差込み部
２  表示部
３  差込み孔
１０  ブランク
１１  差込みパネル
１２  折曲げパネル
１３  表示パネル
１４  差込み孔
１５  爪
１６  拡大部
【図１】
0004627847.tif 000002
【図２】
0004627847.tif 000003
【図３】
0004627847.tif 000004